(57)【特許請求の範囲】
【請求項１】
回路遮断器の器体を、
電路を入切する第一の操作部が設けられた前面と、
分電盤への取付面となる前記前面に対向する背面と、
該前面と該背面とに相隣り合う側面とを有して略箱体形状に形成するとともに、
該器体の側面の表面には分電盤の母線から電気を受電もしくは給電する端子を内包した複数の端子部と、
前記器体の前面には前記端子部のうち少なくとも一つの端子部の位置を変更する第二の操作部と、を備え、
前記第二の操作部によって端子部の位置を変更される端子部を選択端子部としたときに、
該選択端子部は、
回路遮断器に接続可能な母線の中から特定の母線を選択して接続できるよう、
回路遮断器の並設方向を幅方向としたときに、
該幅方向において、一方の側面寄りと、他方の側面寄りの２箇所に前記母線との接続位置が設けられるとともに、
それぞれの接続位置の間で連続的に移動可能とされ、
該それぞれの接続位置において、
前記器体の前面側から前記選択端子部にかけて連通孔を形成した回路遮断器の端子構造。
【請求項２】
前記選択端子部が位置しない側における連通孔は、
前記第二の操作部によって隠蔽されて、
該隠蔽された連通孔は器体の前面側から視認できなくなるよう形成した請求項１記載の回路遮断器の端子構造。
【請求項３】
前記器体の前面側に、
端子部の各々の接続位置において端子部が母線と接続されることにより回路遮断器に供給される電圧値を表示する電圧表示部を設けて、
前記連通孔とともに、前記端子部の接続位置における電圧表示部が前面側に表示されて前面側から視認可能となる一方、
前記端子部が位置しない側における電圧表示部は前記第二の操作部によって隠蔽されて前面側から視認できなくなるよう形成した請求項２記載の回路遮断器の端子構造。
【請求項４】
前記器体の前面側に、
前記選択端子部にかけて形成された連通孔に加えて、
前記第二の操作部によって端子部の位置を変更されない端子部にかけて形成された連通孔を設けた請求項１乃至請求項３記載の内何れか一項に記載の回路遮断器の端子構造。
【請求項５】
前記選択端子部は、
前面側から臨んだときに、
該第二の操作部を移動させる方向とは反対方向に選択端子部を移動させる移動方向反転手段を介して移動されることを特徴とする請求項１乃至請求項４記載の内何れか一項に記載の回路遮断器の端子構造。
【請求項６】
前記移動方向反転手段は、
前記第二の操作部の選択端子部側及び該選択端子部の第二の操作部側に各々設けたラックと、
これらラックの間に設けたピニオンにより構成されたことを特徴とする請求項５記載の回路遮断器の端子構造。
【発明の詳細な説明】
【技術分野】
【０００１】
本発明は、分電盤に設けられる母線と電気的に接続される回路遮断器に関し、詳しくは、各相の母線のうち接続に必要な母線を選択的に接続する選択式端子装置を有した回路遮断器に係る。
【背景技術】
【０００２】
回路遮断器の端子装置と母線を選択的に接続する例として、
例えば特許文献１及び特許文献２のように、母線側に、回路遮断器の端子と接続する母線を選択的に切替える切替装置を設けたものがある。
【０００３】
特許文献１においては、図１７に示したように、主電路を形成するブスバー（特許文献１の符号１、２、３）と、回路遮断器の端子に接続されるブスバーの足部（特許文献１の符号１０１、３０１、６０１等）の間に、切替装置を設けて構成している。この切替装置は、該切替装置を構成する接続バー（特許文献１の符号６）に設けられた長穴（特許文献１の符号６０２）と切替片（特許文献１の符号８）の穴部に共に貫通させた切替ネジ（特許文献１の符号７）の位置を前記長穴の一端もしくは他端に移動させて導通させる導体を選択し回路遮断器の端子に接続される導体を切替えて、回路遮断器に供給する電圧を変更するものである。
【０００４】
特許文献２においては、図１８に示したように、特許文献１と同じく、主電路を形成するブスバー（特許文献２の符号１１、１２、１３）と、回路遮断器の端子に接続されるブスバーの接続部（特許文献２の符号１３０１、２００１等）の間に、切替装置を設けて構成している。そして切替装置を構成する送り板（特許文献２の符号２０）に設けられた長穴部と筒状導体子（特許文献２の符号１８）に共に貫通させたねじ（特許文献２の符号１７）の位置を前記長穴の一端もしくは他端に移動させて導通させる導体を選択し回路遮断器の端子に接続されるブスバーを切替えて、回路遮断器に供給する電圧を変更するものである。
【先行技術文献】
【特許文献】
【０００５】
【特許文献１】特開平９−２７１１０８
【特許文献２】特開２００２−１３５９１２
【発明の概要】
【発明が解決しようとする課題】
【０００６】
上述した、母線側に、回路遮断器の端子と接続する母線を選択的に切替える切替装置を設けたものにあっては、次に示したような課題がある。切替装置における切替部を模式的に示した図１９を参照して説明するが、切替の状態を表す長穴の部分に位置するねじ頭に着目すると、（ａ）については、それぞれのねじ頭の並びが規則的であり、回路遮断器に外部の導体のうちどの導体が接続されているのかが一見して把握できる。ここで、一部分の導体について接続を切替えた場合を示した（ｂ）については、図中右側に位置するねじ頭の並び方が左側や中央部分の他のねじ頭の並び方とは変わっており、並び具合を見ることで、選択されている導体が変わっていることが把握できる。ところが、多くの導体について接続を切替えた場合を示した（ｃ）については、ねじ頭の並び方がまちまちで全体的に不規則となり、回路遮断器にどの導体が接続されているのかが非常に把握しづらいものとなる。
【０００７】
このため、接続する外部の導体のうち、一部分の導体のみ接続を変更した場合には、どの導体を回路遮断器に接続しているのかは容易に把握できるが、接続を変更した導体の数が増えてくると、一転して把握が難しくなり、作業をする者にとっては、接続した回路遮断器に母線から供給される電圧がいくらなのか把握し難く、接続後に母線から回路遮断器に供給される電圧の確認を行う場合においても誤解が生じやすくなるおそれがあった。また、回路遮断器に誤った導体を選択して接続した場合には負荷側の電路に不用な電圧が供給されることになり、その場合には負荷側の配線や電気機器に損傷が生じてしまうおそれがある。また、多数のねじの切替を要することから作業性の改善が望まれている。
【０００８】
そこで、本発明は、上記問題に鑑みてなされたもので、
回路遮断器における端子部により母線を選択的に接続する場合や、前記端子部と母線を接続した後であっても、複数の回路遮断器に対して、どの回路遮断器がどの母線を選択して接続しているのか、また、母線から回路遮断器に供給される電圧がいくらなのか、さらに、回路遮断器に供給される電圧の確認作業を、回路遮断器の前面側から直接的になおかつ容易に行いやすく、
さらに、接続状態を切替える際に工具を不要として作業性の向上が望め、
回路遮断器に選択的に印加される電圧が端子装置の位置に応じて明確に把握できて、
作業をする者にとって接続母線や供給電圧の誤認を生じさせにくい選択式端子装置を有した回路遮断器の端子構造を提供することを目的とする。
【課題を解決するための手段】
【０００９】
本発明に係る回路遮断器の端子構造は、上述の課題を解決すべく構成されたもので、
回路遮断器の器体を、
電路を入切する第一の操作部が設けられた前面と、
分電盤への取付面となる前記前面に対向する背面と、
該前面と該背面とに相隣り合う側面とを有して略箱体形状に形成するとともに、
該器体の側面の表面には分電盤の母線から電気を受電もしくは給電する端子を内包した複数の端子部と、
前記器体の前面には前記端子部のうち少なくとも一つの端子部の位置を変更する第二の操作部と、を備え、
前記第二の操作部によって端子部の位置を変更される端子部を選択端子部としたときに、
該選択端子部は、
回路遮断器に接続可能な母線の中から特定の母線を選択して接続できるよう、
回路遮断器の並設方向を幅方向としたときに、
該幅方向において、一方の側面寄りと、他方の側面寄りの２箇所に前記母線との接続位置が設けられるとともに、
それぞれの接続位置の間で連続的に移動可能とされ、
該それぞれの接続位置において、
前記器体の前面側から前記選択端子部にかけて連通孔を形成して回路遮断器の端子構造を構成するとよい。
【００１０】
かかる構成によれば、
器体の前面側から端子部を臨んだ場合に、選択端子部に接続する母線の違いを、前記連通孔を通じて目視確認することができ、
選択端子部と母線とを接続する場合や、選択端子部と母線とを接続した後であっても、複数の回路遮断器に対して、どの回路遮断器がどの母線を選択して接続されているのかが直接的に把握しやすい。
また、母線から回路遮断器に供給される電圧がいくらなのかが、前記連通孔を通じて選択端子部に内包される端子又は該端子に接続される母線と、他の端子に接続される母線との間の電圧を、電圧測定器を用いて測定することにより簡単に把握することができ、母線から回路遮断器に供給される電圧がいくらなのか、さらに、回路遮断器に供給される電圧の確認作業を、回路遮断器の前面側から直接的になおかつ容易に行いやすく構成できる。
【００１１】
また、本発明にかかる回路遮断器の端子構造は、前記選択端子部が位置しない側における連通孔が、前記第二の操作部によって隠蔽されて、
該隠蔽された連通孔は器体の前面側から視認できなくなるよう形成してもよい。
【００１２】
かかる構成によれば、
常に、選択端子部が位置する側における連通孔が前面側に現れるため、どの回路遮断器がどの母線を選択して接続されているのかがより直接的に把握しやすくなり、接続する際の誤認や、誤配線を低減することができる。
【００１３】
また、本発明に係る回路遮断器の端子構造は、前記器体の前面側に、
端子部の各々の接続位置において端子部が母線と接続されることにより回路遮断器に供給される電圧値を表示する電圧表示部を設けて、
前記連通孔とともに、前記端子部の接続位置における電圧表示部が前面側に表示されて前面側から視認可能となる一方、
前記端子部が位置しない側における電圧表示部は前記第二の操作部によって隠蔽されて前面側から視認できなくなるよう形成してもよい。
【００１４】
かかる構成によれば、
母線と接続する端子部の器体に対する接続位置と、供給電圧の表示を行う電圧表示部の位置とを前記器体の幅方向において、一方の側面寄りと、他方の側面寄りと、で合わせることができ、作業をする者にとって、より接続母線や供給電圧の誤認を生じさせにくく、配線確認作業性が高くなる。
【００１５】
また、本発明に係る回路遮断器の端子構造は、前記器体の前面側に、
前記選択端子部にかけて形成された連通孔に加えて、
前記第二の操作部によって端子部の位置を変更されない端子部にかけて形成された連通孔を設けてもよい。
【００１６】
かかる構成によれば、
回路遮断器毎に、前記選択端子部にかけて形成された連通孔を通じて選択端子部に内包される端子又は該端子に接続される母線と、前記第二の操作部によって端子部の位置を変更されない端子部にかけて形成された連通孔の端子又は該端子に接続される母線との間の電圧を、電圧測定テスタを用いて測定することにより簡単に把握することができる。
【００１７】
また、本発明に係る回路遮断器の端子構造は、前記選択端子部は、
前面側から臨んだときに、該第二の操作部を移動させる方向とは反対方向に選択端子部を移動させる移動方向反転手段を介して移動されるよう構成してもよい。
【００１８】
かかる構成によれば、前記選択端子部の移動に必要な前記器体の幅方向の動きの軌跡を、第二の操作部においても前記器体の幅方向にスライド移動させることにより作り出すことができ、なおかつ、器体の前面側から見た場合の、選択端子部の位置と、その場所での前記連通孔を合わせることができる一方、選択端子部が位置しない場所での連通孔を隠蔽することができる。
【００１９】
また、本発明に係る回路遮断器の端子構造として、前記移動方向反転手段を、
前記第二の操作部の選択端子部側及び該選択端子部の第二の操作部側に各々設けたラックと、これらラックの間に設けたピニオンにより構成してもよい。
【００２０】
かかる構成によれば、
前記選択端子部及び第二の操作部の移動方向を、ピニオンの働きにより互いに反対方向とすることができる。即ち、作業者は、第二の操作部を幅方向にスライド移動させることにより、端子部が位置しない側における連通孔や電圧表示部を前記第二の操作部自体によって隠蔽することができ、隠蔽された連通孔や電圧表示部は、前面側からは視認できず接続母線や供給電圧の誤認を生じさせにくい。
【発明の効果】
【００２１】
以上の如く、本発明によれば、回路遮断器における端子装置により母線を選択的に接続する場合や、前記端子装置と母線を接続した後であっても、複数の回路遮断器に対して、どの回路遮断器がどの母線を選択して接続しているのか、また、母線から回路遮断器に供給される電圧がいくらなのか、さらに、回路遮断器に供給される電圧の確認作業を、回路遮断器の前面側から直接的になおかつ容易に行いやすく、
さらに、接続状態を切替える際に工具を不要として作業性の向上が望め、
回路遮断器に選択的に印加される電圧が端子装置の位置に応じて明確に把握できて、
作業をする者にとって接続母線や供給電圧の誤認を生じさせにくい選択式端子装置を有した回路遮断器の端子構造を提供することができる。
【図面の簡単な説明】
【００２２】
【図１】第１の実施形態を示す回路遮断器の外観斜視図を示す。
【図２】同実施形態に係る回路遮断器の内部構成図を示す。
【図３】同実施形態に係る回路遮断器の選択端子部を示す。
【図４】同実施形態に係る回路遮断器の端子を示す。
【図５】同実施形態に係る第二の操作部を示す。
【図６】同実施形態に係る第二の操作部と移動方向反転手段と選択端子部を組み合わせた図を示す。
【図７】同実施形態に係る第二の操作部と移動方向反転手段と選択端子部を回路遮断器の器体に組み合わせた図を示す。
【図８】同実施形態に係る選択端子部のそれぞれの接続位置を示す。
【図９】第２の実施形態を示す回路遮断器の端子構造の外観斜視図を示す。
【図１０】第２の実施形態を示す回路遮断器の端子構造の外観図を示す。
【図１１】他の形態を示す回路遮断器の端子構造の外観斜視図を示す。
【図１２】他の形態を示す回路遮断器の端子構造の外観斜視図を示す。
【図１３】他の形態を示す回路遮断器の端子構造の外観斜視図を示す。
【図１４】他の形態を示す回路遮断器の端子構造の外観斜視図を示す。
【図１５】他の形態を示す回路遮断器の端子構造の外観斜視図を示す。
【図１６】複数の回路遮断器を併設した場合の外観図を示す。
【図１７】従来の接続状態を表わした図を示す。
【図１８】従来の接続状態を表わした図を示す。
【図１９】従来の接続状態における複数個所で切替を行った図を示す。
【発明を実施するための最良の形態】
【００２３】
次に本発明の実施形態を図面にて詳細に説明する。
（第１の実施形態）
まず、第１の実施形態に係る回路遮断器について、図１乃至図８を用いてその構成を説明する。
第１の実施形態に係る回路遮断器１は、単相３線式の商用電路に用いられるものである。該回路遮断器は、図１及び図２に示すように、回路遮断器１を併設する方向を幅方向としたときに、該幅方向に分割するケース１０１ａ及び１０１ｂを重ね合わせて構成される略箱体形状の器体を有する。
そして、該器体には、
回路遮断器１に電源を供給するための各極の導体と接続される電源側端子部１０２Ａ、１０２Ｂと、
回路遮断器１の負荷側に電源を供給するための各極の導体と接続される負荷側端子部１０３Ａ、１０３Ｂとが設けられ、
これら電源側端子部１０２Ａ、１０２Ｂと、負荷側端子部１０３Ａ、１０３Ｂとの間を電気的に接続する各極の主導体と、
該各極の主導体に介在し、電源側と負荷側を電気的に入切接続する固定接点と、
該固定接点と各々接離自在に対向する可動接点を固着した可動接触子と、
これら可動接触子を開閉駆動する開閉機構と、
該開閉機構とリンクにより接続され器体の外部から開閉機構を操作して、電路を入切操作する第一の操作部となるハンドル１０４とが配設されている。
【００２４】
前記第一の操作部となるハンドル１０４が設けられた面を器体の前面ａとした場合、該前面ａ側から前記電源側端子部１０２Ｂを臨む連通孔１０２ｂ４が設けられている。本実施形態の場合、連通孔は、後述する選択端子部１０２Ｂと母線とのそれぞれの接続位置に対して２個設けられている。
【００２５】
次に、電源側端子部１０２Ａ、１０２Ｂについて説明を行う。
前記電源側端子部１０２Ａ、１０２Ｂは、
前記前面ａに対して、分電盤への取付面となる面を背面ｂとし、該前面ａと該背面ｂとに相隣り合う面を側面ｃとしたときに、器体の長手方向における側面ｃの一端に、ケース１０１ａ、１０１ｂの間に挟み込まれるように設けられている。
【００２６】
電源側端子部のうち１０２Ａは器体に固定されて配設される端子部（固定端子部という）で、１０２Ｂは器体内を前記幅方向において、一方の側面寄りと、他方の側面寄りの２箇所の間で連続的に往復移動が行えるよう、器体の側面に設けた窪み部分に配設される端子部（選択端子部という）である。
【００２７】
（選択端子部の構造）
器体の電源側には、前記固定されて配設される端子部１０２Ａの位置、並びに移動可能に設けられる端子部１０２Ｂのそれぞれの位置に対応するよう、分電盤内に予め３本の母線Ｌ１、Ｌ２、Ｎの接続部が配置される。
図１の場合、前記固定端子部１０２Ａは母線Ｌ２と接続され、前記選択端子部１０２Ｂは、一方の位置の場合は母線Ｌ１と接続され、他方の位置の場合は母線Ｎと接続される。選択端子部１０２Ｂが母線Ｌ１と接続される場合には、回路遮断器１には２００Ｖの電圧が印加され、選択端子部１０２Ｂが母線Ｎと接続される場合（図１の場合）には、回路遮断器１には１００Ｖの電圧が印加される。
【００２８】
また、単相３線式の相バランスを整えるため、固定端子部１０２Ａを母線Ｌ１と接続する場合には、選択端子部１０２Ｂは、一方の位置の場合は母線Ｌ２と接続され、他方の位置の場合は母線Ｎと接続される。そして、選択端子部１０２Ｂが母線Ｌ２と接続される場合には、回路遮断器１には２００Ｖの電圧が印加され、選択端子部１０２Ｂが母線Ｎと接続される場合には、回路遮断器１には１００Ｖの電圧が印加される。
【００２９】
図３及び図４には、前記選択端子部１０２Ｂと、該選択端子部１０２Ｂに収納される刃受１０２Ｂ３を示している。前記固定端子部１０２Ａ並びに選択端子部１０２Ｂは、その内部に、母線と接続するための端子として、断面が略徳利状の略コの字状の先部を絞った形状に成形された刃受１０２Ｂ３を収納している。該刃受１０２Ｂ３は前記絞った形状の部分で母線を挟み込み、負荷側に電源を供給する。
【００３０】
選択端子部１０２Ｂは、その外郭が刃受１０２Ｂ１とは電気的に接続されていない非充電部として構成されている。外郭の前面側には、前記器体に設けられた連通孔に対応した孔１０２Ｂ４が設けられている。
選択端子部１０２Ｂを、器体の幅方向において、一方の側面寄りと、他方の側面寄りの、それぞれの接続位置に移動させた場合には、これら連通孔及び孔１０２Ｂ４が、それぞれつながる。
【００３１】
回路遮断器１を母線に接続した後において、前記ハンドル１０４をオフにした状態で、回路遮断器への供給電圧がいくらであるのか確認する場合には、例えば電圧測定テスタの測定ピンの一方を、器体の前面ａ側から選択端子部１０２Ｂが位置する側の連通孔に差込み、該選択端子部１０２Ｂに内包した端子１０２Ｂ３又は該端子１０２Ｂ３に接続される母線と接触させ、前記測定ピンの他方を、前記固定端子部１０２Ａに接続される母線と接触させることで、回路遮断器の負荷側には電源を供給させずに、回路遮断器に供給される電圧を測定することができる。前記固定端子部１０２Ａに接続される母線としては、例えば分電盤において、並設された回路遮断器に共通して電源を供給する母線を用いて、該母線の接続元を固定する固定ねじ等を前記測定ピンの他方側の接触部とするとよい。
【００３２】
また、選択端子部１０２Ｂの前面ａ側には、複数の歯を設けたラック１０２Ｂ１を形成しており、後述する第二の操作部１０５の操作を選択端子部１０２Ｂに伝達する役割を果たす。また、外郭の背面側には、幅方向に長形状のリブ１０２Ｂ２が設けられており、このリブ１０２Ｂ２が、器体側に設けられた溝部１０１ｃと嵌め合わされることにより、選択端子部１０２Ｂが幅方向に往復移動する際のガイド部として働く。
【００３３】
次に、選択端子部１０２Ｂを器体の幅方向に往復移動させる第二の操作部１０５について説明を行う。
前記器体の前面側には、前記選択端子部１０２Ｂの器体の幅方向に往復移動させるための第二の操作部１０５が設けられている。該第二の操作部１０５は、器体の幅方向における長さの略半分の大きさに形成された長四角形状のベースと、該ベースの前面側に設けられた把持部１０５ａと、ベースの背面側に設けられた複数の歯を設けたラック１０５ｂとを備えている。ラック１０５ｂは、ベースに形成した長形状のリブ１０５ｂ１の端部に、該リブ１０５ｂ１よりも幅広状に形成されており、第二の操作部１０５を器体に設けられた開口部１０１ｂ３嵌め込み取付けた際に、幅方向に移動させるためのガイド部として働くとともに、前面側への抜止めとして働く。
【００３４】
前記第二の操作部１０５は、器体の幅方向の移動に際し、器体における一方の側面寄りと、他方の側面寄りの２箇所の間で連続的に往復移動を行う。そして、それぞれの一方の側面寄りの位置、及び他方の側面寄りの位置において、前記ベースにより、該ベースの背面となる部分に位置する連通孔、即ち、選択端子部１０２Ｂが位置しない側における器体の前面ａ側に設けられた連通孔を隠蔽する。
【００３５】
このため、器体の前面側からは、選択端子部１０２Ｂが位置しない側の連通孔は視認できず、選択端子部１０２Ｂが位置する側の連通孔が視認可能となる。このため、回路遮断器への供給電圧がいくらであるのか確認する場合には、器体の前面側にて視認可能な連通孔に前記測定ピンを差込むことにより行え、不用な連通孔は隠蔽されるため誤った連通孔に前記測定ピンを差込むことを防ぐことができる。
【００３６】
また、前記ベースの背面側で、回路遮断器１の器体の前面側には、器体の幅方向に亘って、選択端子部１０２Ｂの母線との接続位置に応じて回路遮断器１に供給される電圧値を表示する電圧表示部１０７が設けられている。器体の幅方向に対して、略中央から一方の側面寄りには第一の供給電圧である１００Ｖの文字が表示され、略中央から他方の側面寄りには第二の供給電圧である２００Ｖの文字が表示される。前述した連通孔と同様、前記ベースの背面となる部分に位置する電圧表示部１０７は、該ベースに隠蔽されて前面側からは視認できず、ベースに隠蔽されない部分に位置する電圧表示部は前面側から視認可能となる。このため、回路遮断器への供給電圧が、選択端子部１０２Ｂのそれぞれの位置において、予め的確に表示できる。前述の連通孔のベースによる隠蔽作用と相まって、回路遮断器に供給される電圧の把握や確認作業が回路遮断器の前面側から直接的になおかつ容易に行いやすく、作業性に優れた回路遮断器の端子構造を提供することができる。
【００３７】
次に、第二の操作部１０５と選択端子部１０２Ｂとを連動させる移動方向反転手段について説明を行う。
移動方向反転手段は、前記第二の操作部１０５を移動させる方向とは反対方向に選択端子部１０２Ｂを移動させるものである。即ち、図８において、前記第二の操作部１０５を（ａ）の位置から（ｃ）の位置に移動させる場合には、選択端子部１０２Ｂは第二の操作部とは反対方向に移動する。
本実施形態では、前記移動方向反転手段として、ピニオン１０６を用いた例について説明を行う。
【００３８】
該ピニオン１０６は、軸１０６ａの周囲に複数の歯を設けて形成されている。該歯は、前記第二の操作部１０５に設けられたラック１０５ｂ、並びに前記選択端子部１０２Ｂに設けられたラック１０２Ｂ１と噛み合うように、記第二の操作部１０５に設けられたラック１０５ｂと前記選択端子部１０２Ｂに設けられたラック１０２Ｂ１との間に位置するよう配設される。前記ピニオン１０６は、回路遮断器の器体の前面寄りに、該器体の一部を凹ませて形成した軸受部１０１ｄに軸１０６ａが枢支されて配設される。
【００３９】
図７に、これら第二の操作部１０５とピニオン１０６と選択端子部１０２Ｂとの器体への配置状態を一部断面にて示した。
図７のように、第二の操作部１０５と選択端子部１０２ｂとの間にピニオン１０６が配置され、それぞれのラック１０５ｂ、１０２Ｂ１と、器体により軸１０６ａを回動自在に枢支されたピニオンの歯が噛み合う。
【００４０】
次に、第二の操作部１０５を操作して、選択端子部１０２Ｂの位置を移動する場合について一部を断面にて示した図８を用いて説明を行う。
例として、図８（ａ）、（ｂ）は、固定端子部１０２Ａには母線Ｌ２が接続され、選択端子部１０２Ｂには母線Ｎと接続される場合を示し、図８（ｃ）（ｄ）は、固定端子部１０２Ａには母線Ｌ２が接続され、選択端子部１０２Ｂには母線Ｌ１と接続される場合を示す。
【００４１】
まず、図８（ａ）、（ｂ）は、固定端子部１０２Ａには母線Ｌ２が接続され、選択端子部１０２Ｂには母線Ｎと接続される場合であるから、回路遮断器に供給される電圧値は１００Ｖとなる。選択端子部１０２Ｂの位置する前面側においては、選択端子部１０２Ｂが位置しない側の連通孔１０１ａ４並びに電圧表示部１０７は第二の操作部１０５のベースにより隠蔽され、選択端子部１０２Ｂが位置する側の連通孔１０１ｂ４並びに電圧表示部１０７が現れている。この場合の電圧表示部１０７は１００Ｖの文字が表示される。
【００４２】
次に、この状態から、図中において第二の操作部１０５を初期位置から他方の側面側にスライド移動させ始めると、該第二の操作部１０５の背面側に設けられたラック１０５ｂとピニオン１０６の歯の噛み合いにより、ピニオンは図中において反時計回りに回転を始める。同時に、ピニオン１０６の歯と噛み合っている選択端子部１０２Ｂの前面側に設けられたラック１０２Ｂ１には力が伝達され、前記第二の操作部１０５をスライド移動させる方向とは反対の方向に移動を始める。ラックとピニオンの歯は１対１で対応しているため、第二の操作部１０５の移動量と選択端子部１０２Ｂの移動量は同じであり、第二の操作部１０５を他方の側面側に移動させ終えた場合には、選択端子部１０２Ｂも初期位置から他方の側面側に移動し終える（図８（ｃ）、（ｄ））。
【００４３】
この状態では、固定端子部１０２Ａには母線Ｌ２が接続され、選択端子部１０２Ｂには母線Ｌ１と接続される場合であるから、回路遮断器に供給される電圧値は２００Ｖとなる。選択端子部１０２Ｂの位置する前面側においては、選択端子部１０２Ｂが位置しない側の連通孔１０１ｂ４並びに電圧表示部１０７は第二の操作部１０５のベースにより隠蔽され、選択端子部１０２Ｂが位置する側の連通孔１０１ａ４並びに電圧表示部１０７が現れている。この場合の電圧表示部１０７は２００Ｖの文字が表示される。
【００４４】
このように第二の操作部１０５をスライド移動させる方向とは反対の方向に選択端子部１０２Ｂを移動させるよう構成したから、選択端子部１０２Ｂを母線と接続する一方の位置において、常にその前面側に、回路遮断器に供給される電圧値の表示と、選択端子部１０２Ｂが位置する側の連通孔の露出が行える。
他方の位置において回路遮断器に供給される電圧の表示と、連通孔は前記第二の操作部１０５のベースの背面側に位置して隠蔽されるよう構成したから、器体の前面側から端子部を臨んだ場合に、接続する母線の違いを、器体の前面に設けられた電圧表示の違い、即ち端子位置の違いとして目視確認することができ、端子装置と母線とを選択的に接続する場合や、端子装置と母線を接続した後であっても、どの回路遮断器がどの母線を選択して接続されているのかが、電圧の確認作業を直接的になおかつ容易に行いやすい。
また、器体の端子部における前面側の、第二の操作部に隠蔽されない略全面を電圧表示部として用いることができるため、視認性がよく、作業をする者にとって接続母線や供給電圧の誤認を生じさせにくく、配線確認作業性が高い回路遮断器の端子構造を提供することができる。
【００４５】
なお、選択端子部の刃受と回路遮断器内部の主導体とはより線により接続されており、前記幅方向に連続的に移動するときの妨げにならないよう、移動量分の余裕を持たせた長さとしている。
【００４６】
また、前記電圧表示部における電圧の表示は、文字による表示の他、器体の幅方向における略中央部を境に色分けを行ったり、その他接続する母線の種類を記載することにより行ってもよい。色分けは、給電電圧を識別するために赤と白、赤と黒というように、各々で色相を違えたり、また、明度、彩度を違えて構成するとよい。また、母線の種類をＬ１、Ｎというように表示したり、色分けと文字による表示を組み合わせて行ってもよい。
【００４７】
また、図８の１０８で示したように、器体の電源側端子部の前面側に、第二の操作部１０５を幅方向に移動させる場合に、該第二の操作部１０５の背面側と当接し、弾性的に乗り越え可能な程度に凸部１０８を設けて構成してもよい。これにより、第二の操作部１０５を一方の位置から他方の位置に移動させるときに、前記凸部１０８を乗り越えることにより適度なクリック感が得られ、作業者は、視覚的及び触覚的に選択端子部１０２Ｂを切替えたことを認識することができる。
【００４８】
（第２の実施形態）
次に、第２の実施形態に係る回路遮断器の端子構造について図９、図１０を用いて説明する。
第１の実施形態との違いは、第１の実施形態においては、器体の前面側に設けた連通孔は選択端子部１０２Ｂの位置に応じたものであったが、さらに、固定端子部１０２Ａに内包される刃受に対応した連通孔を設けた点である。
【００４９】
本実施形態では、前記固定端子部１０２Ａに内包される刃受に、器体の前面方向に延出させた導体１０２Ａ１を接続し、該導体１０２Ａ１に接触可能な孔部を器体の前面側に設けて連通孔１０１ａｂ４を形成している。前記導体１０２Ａ１の端部はＬ字状に折曲形成しており、該折曲形成した部分は、器体のリブに嵌合するよう配置している。前記連通孔１０１ａｂ４から電圧測定テスタの測定ピンを差込んだ場合に、押圧する力を該Ｌ字状の部分で受止している。
【００５０】
本実施形態においては、図９（ａ）、（ｂ）に示したように、選択端子部１０２Ｂの位置に応じて、第二の操作部１０５により、選択端子部１０２Ｂが位置しない側の連通孔（（ａ）においては１０２ａ４、（ｂ）においては１０２ｂ４）が隠蔽され、常に選択端子部１０２Ｂが位置する側の連通孔が前面側に露出する。
【００５１】
このため、回路遮断器１に供給される電圧がいくらであるのかを測定する場合には、まずはハンドル１０４をオフ側に操作したうえで、器体の前面側に露出している連通孔に対して、電圧測定テスタの測定ピンを差込む、即ち、電圧測定テスタの測定ピンの一方を、器体の前面ａ側から選択端子部１０２Ｂが位置する側の連通孔（１０１ｂ４もしくは１０１ａ４）に差込み、該選択端子部１０２Ｂに内包した端子１０２Ｂ３又は該端子１０２Ｂ３に接続される母線と接触させ、前記測定ピンの他方を、連通孔１０１ａｂ４に差込み、前記固定端子部１０２Ａから延出される導体１０２Ａ１に接触させることで、回路遮断器の負荷側には電源を供給させずに、前記供給される電圧を測定できる。
【００５２】
電圧測定にあたり必要のない連通孔は前面側には露出しないから、作業者にとっては測定の誤りを起こしにくく、また、電圧表示部１０７により、供給されるべき電圧値が表示されるから、前記電圧測定テスタによる測定結果と、電圧表示が異なっていた場合には、何らかの異常が発生していることを容易に認識でき、早期に異常の解決に向けて取り組みできる。また、本実施形態においては、個々の回路遮断器毎に電圧測定や相間の絶縁測定を行うことができる。
【００５３】
（移動方向反転手段の他の例１）
次に、移動方向反転手段として、ラックとピニオンの他の例を用いた回路遮断器の端子構造について図１１を用いて説明する。
第１の実施形態との違いは、第１の実施形態においては、第二の操作部をスライド移動させることでラックとピニオンの噛み合わせにより第二の操作部はピニオンを介して間接的に選択端子部を移動させる形態であったが、
本形態においては、第二の操作部を器体に回動自在に枢支させたレバーにより構成し、該レバーの端部を直接選択端子部に作用させて選択端子部を移動させる形態とした点である（レバー式という）。
【００５４】
本形態では、第二の操作部となるレバー２０５の一部に、該レバー２０５の略回動中心となる軸部２０５ａを設けて，該軸部２０５ａから延出した一方側をレバーの把持部２０５ｅとして構成し、軸受部２０５ａから延出した他方側を選択端子部１０２Ｂに作用する作用部２０５ｂとして構成している。
【００５５】
前記レバーの軸部２０５ａは、回路遮断器の器体の前面側に設けた軸受部１０１ｄに嵌め合わされ、器体に枢支されて器体の幅方向に回動可能に設けられる。
【００５６】
前記レバーの作用部２０５ｂは、前記軸部２０５ａの軸方向と同一方向に軸部が形成されて、選択端子部１０２Ｂの前面側に設けられた軸受部１０２Ｂ４に嵌め合わされる。該軸受部１０２Ｂ４は，前記軸部２０５の移動軌跡における器体の前面側から背面側における方向の変位量を吸収できる程度に開口が設けられている。
前記レバー２０５を器体の幅方向に回動させると、その動きに連動して選択端子部１０２Ｂは、器体の幅方向に移動する。選択端子部１０２Ｂの移動は器体の幅方向に直線的で、レバーの回転軌跡は円弧上であるが、前記軸受部１０２Ｂ４により、見かけ上、前記作用部２０５ｂと選択端子部１０２Ｂの軸受部１０２Ｂ４との間の長さが伸縮して、回転的な動きを直線的な動きとしている。
【００５７】
また、前記レバー２０５の把持部２０５ｅの両面には、回路遮断器に供給される電圧値を表示する電圧表示部２０５ｃ、２０５ｄが設けられている。回路遮断器の前面側から端子部を臨んだ場合には、選択端子部１０２Ｂが位置する側の前面に表示される電圧表示部に加えて、前面側から器体を臨んだときに，器体の幅方向略全体に亘り同一の電圧表示が行えることとなるため、第一の実施形態と比べてより広い領域で電圧表示が行え、接続母線や供給電圧の誤認を生じさせにくく、配線確認作業性が高い回路遮断器の端子構造を提供することができる。
【００５８】
なお、レバー２０５に設けた電圧表示部は、器体の前面側に設けた電圧表示で十分であれば、必要に応じて設けてもよいし、設けなくともよい。また、電圧表示部２０５ｃ、２０５ｄの表示は、電圧値の他、器体前面に設けられた電圧表示部１０７の色彩と合わせた色彩を施すことにより行ってもよい。この場合は、回路遮断器への供給電圧に合わせて、器体の幅方向全体に亘り同色の色彩が面積を広くして施されることとなるため、作業者にとってはより視認性が増すものとなる。
【００５９】
（移動方向反転手段の他の例２）
次に、移動方向反転手段の他の形態に係る回路遮断器の端子構造について図１２を用いて説明する。
第１の実施形態との違いは、第二の操作部と選択端子部とを別対として構成している形態であったが、本形態においては、第二の操作部と選択端子部とを一体的に構成している形態とした点である（回転式という）。
【００６０】
本形態では、第１の実施形態における第二の操作部１０５のベースとなる部分と、選択端子部１０２Ｂとを、回路遮断器の器体の前面側から背面側に向かう方向と同方向を軸方向とする柱状部材３０５ａにて接続し、該柱状部材３０５ａを軸として回動動作させることにより、前記器体の幅方向におけるベースの位置と、選択端子部との位置を互いに入れ替える構造としている。
【００６１】
本形態では，このように設けられた第二の操作部と一体化した選択端子部を３０５とし，前記ベースとなる部分と、選択端子部とは、前記柱状部材３０５ａの直径方向に配置させ、該柱状部材３０５ａを回動動作させたときに、第１の実施形態で示した第二の操作部材１０５と選択端子部１０２Ｂの位置関係が保たれるように構成している。
【００６２】
回路遮断器の器体には、該器体の幅方向における略中央部に、前記柱状部材３０５ａが配設されるよう、器体の一部を凹ませて、器体の前面側から内部に連通する孔部を設けて構成した柱状部材受部１０１ｅを形成して、第二の操作部と一体化した選択端子部３０５を回動自在に保持している。
【００６３】
前記柱状部材３０５ａの前面側には、第二の操作部と一体化した選択端子部３０５を回動させるための把持部３０５ｂを形成している。該把持部３０５ｂは、作業者が手で回すことができるよう、直線状のリブで形成したつまみを設けている。この他、把持部を一般的なドライバなどの工具を使って回すことができるように、マイナス形状に凹ませて形成してもよいし、プラス形状に凹ませて形成してもよい。
【００６４】
本形態における選択端子部分は，第一の実施形態同様，刃受１０２ｂ３を内包している。選択端子部分を回転させたときには，柱状部材を回転中心として，図１２の（ａ）の位置から，（ｃ）の位置を経て，（ｂ）の位置に到達する。選択端子部３０５は１８０度回転することから，刃受１０２Ｂ３の開口部分が互いに外向きになるよう選択端子部に内包させている。
【００６５】
これに応じて，選択端子部には連通孔を２箇所に設けており，選択端子部の取り得る一方の位置と他方の位置とで，それぞれ別の連通孔が該選択端子部の位置に応じて器体の前面側に設けられた連通孔と通ずる。回路遮断器の主導体と刃受とを接続するリード線は、前記柱状部材３０５ａの背面側に設けたリード線接続部に接続している。
【００６６】
また，器体の選択端子部が位置する部分の背面側には，前記リード線と刃受けの移動軌跡を逃げた孔部１０１ｈを設けており，器体の前面側には，前記ベースに相当する部分と当接して，選択端子部３０５の回転開始位置と終了位置を規制する突状に形成した突部１０１ｆを設けている。
【００６７】
なお，本形態においては，選択端子部３０５を一体として形成しているが，部材の加工上分割部材として形成し，後で組み合わせるように設けてもよい。
【００６８】
このように回路遮断器の端子を構成したため、端子部の部品点数を低減することができ、コストを削減しながらも、回路遮断器における端子装置により母線を選択的に接続する場合や、前記端子装置と母線を接続した後であっても、複数の回路遮断器に対して、どの回路遮断器がどの母線を選択して接続しているのかを回路遮断器の前面側から直接的に把握しやすく、
さらに、接続状態を切替える際に工具を不要として作業性の向上が望め、
回路遮断器に選択的に印加される電圧が端子装置の位置に応じて明確に把握できて、
作業をする者にとって接続母線や供給電圧の誤認を生じさせにくい選択式端子装置を有した回路遮断器の端子構造を提供することができる。
【００６９】
（移動方向反転手段の他の例３）
次に、移動方向反転手段の他の形態に係る回路遮断器の端子構造について図１３を用いて説明する。
第１の実施形態との違いは、移動方向反転手段をラック／ピニオンに代えて，本形態においては、移動方向反転手段を，薄板状の弾性部材を用いて構成し，該弾性部材を第二の操作部並びに選択端子部に固定し，第二の操作部の操作に応じて，選択端子部が押されたり引かれたりして，その位置を違えるように構成した点である（ベルト式という）。
【００７０】
本形態では，第二の操作部１０５の背面側並びに選択端子部の前面側にそれぞれ突部１０５ｂ２，１０１Ｂ２を設けて，薄板状の弾性部材を用いて構成した伝達部材を略Ｕ字状に曲げた状態で，該伝達部材の両端部分に設けた孔部に前記突部を嵌め込み，第二の操作部１０５の操作力を選択端子部１０２Ｂに伝達する。
【００７１】
前記略Ｕ字状に曲げた部分は，器体に設けられた突部１０１ａ５と該突部が緩嵌状態にはめ込まれる凹部との隙間をガイド部として駆動する。薄板状の弾性部材は，屈曲性が得られるポリエチレンシート（例えばナフタレート等）や，ポリカーボネートなどの樹脂材料を用いて構成してもよいし，りん青銅など弾性的な金属材料を用いて構成してもよい。この他，第二の操作部に設けた突部１０５ｂ２の両側から突部１０１Ｂ２に亘り，ひも状の部材を配して，第二の操作部材１０５の操作を，どちらかのひも状の部材を引くことにより，選択端子部１０２Ｂに伝達するよう構成してもよい。ひも状の部材としては，ナイロン糸等の樹脂材料を用いたものや，鋼線等の金属材料を用いて構成してもよい。
【００７２】
このように移動方向反転手段を構成することにより，駆動部分を減らせるとともに，単純な構成で移動方向反転手段を構成できるため低コスト化が可能である。
【００７３】
（移動方向反転手段の他の例４）
次に、移動方向反転手段の他の形態に係る回路遮断器の端子構造について図１４を用いて説明する。
前述の例１の形態との違いは、前記レバー２０５に代えて，リンクを用いて構成した点である（リンク式という）。
本形態では、前記レバー２０５における作用部２０５ｂと選択端子部１０２Ｂの軸受部１０２Ｂ４の関係を，第二の操作部にも用いてリンク３０６を形成している。
【００７４】
リンク３０６の一部に，該リンク３０６の回動中心となる軸部３０６ａを設けて，該軸部３０６ａから延出した両端部を，それぞれ，第二の操作部に作用する作用部３０６ｃ，選択端子部１０２Ｂに作用する作用部３０６ｂとして構成している。
【００７５】
前記リンク３０６の軸部３０６ａは、回路遮断器の器体に設けた軸受部１０１ｇに嵌め合わされ、器体に枢支されて器体の幅方向に回動可能に設けられる。
また、第二の操作部における軸受部１０５ｃは、器体に設けられる溝部１０１ｂに嵌合して、該溝部１０１ｈは、第二の操作部１０５の器体の幅方向における移動のガイド部となる。
【００７６】
リンク３０６の作用部３０６ｂ，３０６ｃは，前記軸部３０６ａの軸方向と同一方向に軸部が形成されて、選択端子部１０２Ｂの前面側に設けられた軸受部１０２Ｂ５並びに第二の操作部１０５の背面側に設けられた軸受部１０５ｃに嵌め合わされる。該軸受部１０２Ｂ５、１０５ｃは，前記軸部３０６ｂ、３０６ｃの移動軌跡における器体の前面側から背面側における方向の変位量を吸収できる程度に開口が設けられている。なお、第二の操作部１０５においては、図１４（ｆ）に示した要部断面のように、その内部に凹部１０５ｄが形成されて前記変位量を吸収可能としている。
【００７７】
前記第二の操作部１０５を器体の幅方向に移動させると、その動きに連動して選択端子部１０２Ｂは、リンク３０６を介して器体の幅方向に移動する。
【００７８】
このように、リンクを用いて構成することによっても、移動方向反転手段を構成することが可能である。
【００７９】
これらの形態は、いずれも第二の操作部を操作することにより、選択端子部を器体の幅方向において一方の位置から他方の位置に移動させるものである。移動方向反転手段として用いている、ラック・ピニオン式、レバー式、ベルト式、リンク式のいずれも第二の操作部の操作を選択端子部に伝達するための部材の配置を、前記器体の前面側から背面側に行っているが、これらの配置を器体の電源側端子側から負荷側端子側に行って構成することによっても移動方向反転手段を構成可能である。
【００８０】
ラック・ピニオン式においては、ピニオンの軸１０６ａを器体の前面−背面方向に配置して、噛み合わせの方向を９０度変えるとともに第二の操作部におけるラック並びに選択端子部におけるラックの形成方向を９０度変えて構成してもよい。
【００８１】
レバー式においては、レバーの軸部２０５ｂの軸方向が器体の前面−背面方向になるよう９０度変えるとともに、選択端子部における軸受部１０２Ｂ４においてもその開口方向を９０度変えて構成してもよい。
【００８２】
ベルト式においては、薄板状の弾性部材の板圧方向を９０度変えるとともに、該弾性部材の第二の操作部材における支持方向、選択端子部における支持方向を９０度変えて構成してもよい。
【００８３】
リンク式においては、リンクの各軸の軸方向を器体の前面−背面方向になるよう９０度替えるとともに、第二の操作部における軸受部１０５ｃ、選択端子部における軸受部１０２Ｂ５においてもその開口方向を９０度変えて構成してもよい。
【００８４】
また、前述した電圧表示部１０７は、文字、色彩による表示を行った例を示したが、回路遮断器が配設される分電盤の設置場所によっては薄暗い場所に設置されること可能性がある。このため、電圧表示部や第二の操作部の位置が作業者にとって明確には分かりにくくなる可能性があることに鑑み、回路遮断器１における前記選択端子部１０２Ｂ側の器体内部の導体と前記固定端子部１０２Ａ側の器体内部の導体とから電源を得る発光手段を器体に配置し、該発光手段の発光により前記電圧表示部や第二の操作部の位置が認識しやすくなるよう構成してもよい。
【００８５】
例えば、図１５に示したように、器体の前面側に配置された第二の操作部１０５に対して、より前面側に位置するハンドル１０４が設けられる突部壁面Ａに発光手段４００を配置して、該発光手段４００から器体の電源端子側を照らすように構成する。これにより、薄暗い場所においても、第二の操作部１０５ならびに電源表示部１０７が発光手段４００により照らされることにより視認性が向上する。
【００８６】
発光手段４００は、前記選択端子部１０２Ｂ側の器体内部の導体と前記固定端子部１０２Ａ側の器体内部の導体とから電力を得るため、それぞれの導体に接続された整流回路、抵抗回路を介して設けられる。発光手段としては、安価なＬＥＤを用いるとよい。
【００８７】
また、選択端子部１０２Ｂの位置に応じて、回路遮断器に供給される電圧が変わることから、供給電圧の違いによって発光手段４００が破壊しないよう、定電流回路を設けて構成し、常に発光手段が発光するように構成するとよい。
【００８８】
また、発光手段を複数設けて、回路遮断器に供給される電圧に応じて、電流を供給するＬＥＤを違えるように構成してもよい。ＬＥＤの発光色を変えておくことにより、例えば、電圧が１００Ｖのときは白色、電圧が２００Ｖのときは赤色のＬＥＤが発光するように回路を設けてもよい。
【００８９】
また、この他、電圧表示部１０７に透過性を持たせて構成し、発光手段を該電圧表示部１０７の背面側に設けて、該背面側から前面側を照らすことにより、電圧表示部の文字や色彩が前面側から明確に分かるように構成してもよい。
【００９０】
例えば、電圧表示部１０７を光の透過性を持たせた樹脂製シートで構成するとよい。
【００９１】
なお、前述した選択端子部の移動操作にあたり、第二の操作部を操作する以外に、器体の窪み部分に配設される選択端子部１０２Ｂ自体を器体の外部から幅方向に手で押して移動させたり、回転式の場合には、選択端子部１０２Ｂを器体の母線と接続する側に引き出すようにして回転させて位置を違えるように移動させることができる。
【００９２】
仮に、作業者が第二の操作部を操作しにくい場合には、選択端子部自体を操作することにより便宜的に選択端子部の位置を変更でき、より操作性が増す構成であることを付記しておく。
【００９３】
図１６には、第１の実施形態における回路遮断器を複数併設した場合の図を示している。
選択端子部の位置により回路遮断器に接続する母線の種類や供給する電圧値を回路遮断器の前面側から一目瞭然に識別することができる。
このように、本発明によれば、個々の回路遮断器に対して、接続する母線の種類や供給する電圧の大きさが識別しやすいことに加え、複数の回路遮断器を併設配置した場合においても、どの回路遮断器がどの母線を選択して接続しているのか、どの回路遮断器にいくらの電圧が供給されているのかが直接的に把握しやすい回路遮断器の端子構造を提供できる。
【産業上の利用可能性】
【００９４】
本発明は、分電盤に設けられる通常の回路遮断器に適用可能であり、２極回路遮断器のほか、例えば、３極回路遮断器などにも適用が可能である。前記共通端子部や選択端子部が複数個設けられている場合には、それぞれの選択端子部が器体の幅方向に移動する形態の他、器体の幅方向の移動に伴い、選択端子部が器体の前面側から背面側の方向に変位するよう、斜め方向に移動できるように移動方向を形成してもよい。また、前記第二の操作部は、そのベースの背面側にて電圧表示部や連通孔を隠蔽する構造としているが、該第二の操作部を操作部としてではなく、第二の操作部における把持部を省いて隠蔽部（蓋）として用いて、選択端子部の移動は該選択端子部自体を把持することにより行うように構成してもよい。
【符号の説明】
【００９５】
１  回路遮断器
１０１ａ  ケース
１０１ｂ  ケース
１０１ｂ３  開口部
１０１ｂ４  連通孔
１０１ｃ  溝部
１０１ｄ  軸受部
１０１ｅ  柱状部材受部
１０１ｆ  突部
１０１ｇ  軸受部
１０１ｈ  溝部
１０１ｉ  孔部
１０２  電源側端子部
１０２Ａ  固定端子部
１０２Ａ１  導体
１０２Ｂ  選択端子部
１０２Ｂ１  ラック
１０２Ｂ２  リブ
１０２Ｂ３  刃受
１０２Ｂ４  孔
１０２Ｂ５  軸受部
１０３  負荷側端子部
１０４  ハンドル
１０５  操作部
１０５ａ  把持部
１０５ｂ  ラック
１０５ｂ１  リブ
１０５ｃ  軸受部
１０６  ピニオン
１０６ａ  軸
１０７  電圧表示部
１０８  凸部
２０１ｄ  軸部
２０５  レバー
２０５ａ  レバーの軸受部
２０５ｂ  作用部
２０５ｃ  電圧表示部
２０５ｄ  電圧表示部
２０５ｅ  レバーの把持部
３０５  第二の操作部と一体化した選択端子部
３０５ａ  柱状部材
３０５ｂ  把持部
３０６ａ  軸部
３０６ｂ  軸部
３０６ｃ  軸部
【図１】
0005441034.tif 000002
【図２】
0005441034.tif 000003
【図３】
0005441034.tif 000004
【図４】
0005441034.tif 000005
【図５】
0005441034.tif 000006
【図６】
0005441034.tif 000007
【図７】
0005441034.tif 000008
【図８】
0005441034.tif 000009
【図９】
0005441034.tif 000010
【図１０】
0005441034.tif 000011
【図１１】
0005441034.tif 000012
【図１２】
0005441034.tif 000013
【図１３】
0005441034.tif 000014
【図１４】
0005441034.tif 000015
【図１５】
0005441034.tif 000016
【図１６】
0005441034.tif 000017
【図１７】
0005441034.tif 000018
【図１８】
0005441034.tif 000019
【図１９】
0005441034.tif 000020